(57)【要約】【課題】放送局での収録スケジュールを管理する場合に、多数の系統の収録でも、操作者にとって、分かり易く、迅速で、かつ操作ミスが減少する収録端末装置を提供する。【解決手段】様々な手段を用いて伝送される放送素材の収録の操作を行う収録端末装置において、入力系統と収録時刻ごとに、収録素材ごとの収録スケジュールを帯表示する機能、収録制御の状態別にその表示された帯を色分け表示する機能、何らかの原因でスケジュールを割り当てできなかった収録素材を一覧表示する機能、およびそのスケジュールを割り当てできなかった収録素材の一覧表示の中から、所望の素材を選択して、収録スケジュール一覧表内にドラッグ＆ドロップし、再度素材を割当てる機能、を備える。【選択図】図４
2011259225.tif 000002
【特許請求の範囲】
【請求項１】
あらかじめ登録された収録スケジュールに基づいて収録する収録素材の情報を通知する情報管理サーバーと、複数の系統の収録素材が同時に入力され、入力された前記複数の収録素材の中から選択された収録素材を複数系統出力するスイッチャと、前記スイッチャから出力された複数系統の収録素材を保存するサーバーと、前記通知された情報に従って前記スイッチャを制御する収録コントローラと、前記情報管理サーバーを操作する収録端末装置とを備えた収録システムの収録端末装置において、
表示用モニタに、収録スケジュール一覧画面が表示される画面と同一の画面内に割当ＮＧスケジュール一覧表を表示し、前記表示された割当ＮＧスケジュール一覧表から前記収録スケジュール一覧画面にドラッグ＆ドロップによって、前記割当ＮＧスケジュール一覧表の選択された素材が前記収録スケジュール一覧画面に登録されることを特徴とする収録端末装置。
【発明の詳細な説明】
【技術分野】
【０００１】
本発明は、複数の回線から伝送される放送素材を収録する収録端末装置に関わり、特に、収録スケジュールを収録系統や収録時間毎に一覧表示する表示に関する。
【背景技術】
【０００２】
首都若しくは大都市に拠点を置いて、番組を制作し、全国各地にある系列局を通じて放送を行っている、いわゆるキー局と呼ばれる放送局は、番組制作の中心であり、そこで働く局員の数はもちろん、使用される放送素材の数も地方局に比べ膨大なものとなっている。
特に報道を司る放送局においては、常日頃より、中継先、国内地方局、海外支局などから、様々な映像が伝送され、同一時刻に伝送されてくる映像の伝送先は、百近くにも及ぶ。それらの映像を使用するときには、生放送で伝送先から伝送されてきた映像をそのまま放送するケースと、一旦その映像を収録し、編集してから放送するケースの２ケースがある。前者のケースの場合には特に考慮する必要はないが、後者のケースの場合には、入力が百に対し、一度に収録できる数は数十系統が限度である。このため、収録時刻や使用する系統など、収録におけるスケジュールの明確な管理が必要となる。
【０００３】
このようなケースの収録では、長年、伝送されてきた映像を、そのままＶＴＲ（ Video Tape Recorder ）などに収録し、そのＶＴＲを使用して編集を行うという手法が用いられてきた。しかし、近年では、ＶＴＲを使用せずに、ＨＤＤ（ Hard Disk Drive ）に保存し、直接その映像をノンリニア編集するという方法が一般的になってきた（特許文献１参照。）。この場合には、いままでの１つの伝送元に対して１つのＶＴＲという管理ではなく、素材サーバーと呼ばれる１つのＨＤＤのストレージに対して、複数の伝送元の映像が保存される。
従来は、人員による管理でスケジュールが決められ、その時刻になると操作者が指定された系統に対応したＶＴＲの録画ボタンを押し、収録が開始されていた。また、突発的なニュース素材に対しては、その時間に、空いている系統で対応していた。近年では、すべてのＶＴＲに対してコンピュータ制御で収録が行われており、それは保存先がＨＤＤのストレージになった現在も同じである。
【先行技術文献】
【特許文献】
【０００４】
【特許文献１】特開２００７−１２４０６９号公報
【発明の概要】
【発明が解決しようとする課題】
【０００５】
ビデオサーバー等の収録機器に、収録素材（放送素材）を収録する場合には、入力される回線数が、複数の回線（例えば、１０００回線）のＨＤ−ＳＤＩ（ High Definition−Serial Digital Interface ）となり、極めて多い。さらに、収録するＨＤＤストレージの系統数も多い（例えば、０１〜７０系統）。このため、収録スケジュールの管理が非常に難かしかった。
本発明の目的は、上記問題に鑑み、放送局での収録スケジュールを管理する場合に、多数の系統の収録でも、操作者にとって、分かり易く、迅速で、かつ操作ミスが減少する収録端末装置を提供することにある。
【課題を解決するための手段】
【０００６】
上記の課題を解決するために、本発明の収録端末装置は、あらかじめ登録された収録スケジュールに基づいて収録する収録素材の情報を通知する情報管理サーバーと、複数の系統の収録素材が同時に入力され、入力された前記複数の収録素材の中から選択された収録素材を複数系統出力するスイッチャと、前記スイッチャから出力された複数系統の収録素材を保存するサーバーと、前記通知された情報に従って前記スイッチャを制御する収録コントローラと、前記情報管理サーバーを操作する収録端末装置とを備えた収録システムの収録端末装置において、表示用モニタに、収録スケジュール一覧画面が表示される画面と同一の画面内に割当ＮＧスケジュール一覧表を表示し、前記表示された割当ＮＧスケジュール一覧表から前記収録スケジュール一覧画面にドラッグ＆ドロップによって、前記割当ＮＧスケジュール一覧表の選択された素材が前記収録スケジュール一覧画面に登録されるものである。
【発明の効果】
【０００７】
本発明によれば、操作者にとって、分かり易く、迅速で、かつ操作ミスが少ない収録端末装置が実現できる。即ち、本発明によれば、収録端末の収録スケジュール画面において、多数の系統の収録でも操作者に分かり易く、迅速で、かつ操作ミスが少ないインターフェースを提供し、収録業務を容易にすることができる。
【図面の簡単な説明】
【０００８】
【図１】本発明の収録端末装置を含む収録システムの一実施例の構成を説明するためのブロック図である。
【図２】従来の収録端末装置の収録スケジュール一覧画面を示す図である。
【図３】従来の収録端末装置の収録スケジュール一覧画面の一実施例を示す図である。
【図４】本発明の収録端末装置の収録スケジュール一覧画面の一実施例を示す図である。
【図５】本発明の収録端末装置の収録スケジュール一覧表の部分拡大表示の一実施例を示した図である。
【図６】本発明の収録端末装置の収録スケジュール一覧表の一実施例を示した図である。
【図７】本発明の収録端末装置における、収録スケジュールを変更する処理手順の一実施例を示すフローチャートである。
【図８】本発明の収録端末装置における、再登録が成功した後の収録スケジュール一覧画面の一実施例を示す図である。
【図９】本発明の収録端末装置を含む収録システムの一実施例の構成を模式的に説明するためのブロック図である。
【発明を実施するための形態】
【０００９】
本発明は、様々な手段を用いて伝送される放送素材の収録の操作を行う収録端末装置において、（１）入力系統と収録時刻ごとに、収録素材ごとの収録スケジュールを帯表示する機能、（２）収録制御の状態別にその表示された帯を色分け表示する機能、（３）何らかの原因でスケジュールを割り当てできなかった収録素材を一覧表示する機能、および（４）そのスケジュールを割り当てできなかった収録素材の一覧表示の中から、所望の素材を選択して、収録スケジュール一覧表内にドラッグ＆ドロップ（以降、Ｄ＆Ｄと称する）し、再度素材を割当てる機能、を備える。
以下、本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。また各図の説明において、共通な機能を有する構成要素には同一の参照番号を付し、説明を省略する。
【００１０】
図１を用いて、本発明の収録端末装置を含む収録システムの一実施例を説明する。図１は、本発明の収録端末装置を含む収録システムの一実施例の構成を説明するためのブロック図である。１０１はマトリクススイッチャー（ＭＴＸ）、１０２は収録コントローラ、１０３は情報管理サーバー、１０４は収録素材を並行して複数系統（例えば、７０系統）保存する素材サーバー、１０５は操作者が収録操作を行うための収録端末装置、１０６は操作者が収録操作を行うための表示用モニタ、１０７はメモリ、１０８は収録を実施するエンコーダである。なお、メモリ１０７は収録端末１０５に内蔵されていても良く、表示用モニタ１０６も収録端末１０５に付属（一体化）しても良い。
【００１１】
図１において、操作者は、収録操作を行うために、表示用モニタ１０６を見ながら、収録端末装置１０５の図示しない入力装置（ポインティングデバイスやキーボード）等の操作器を操作する（ＧＵＩ（ Graphical User Interface ）操作）。なお、メモリ１０７には、収録端末装置１０５にＧＵＩ操作等によって所定の動作をさせるためのプログラムあらかじめ登録されている。収録端末装置１０５は、ＧＵＩ操作のほか、登録されたプログラムに従って内部の動作を行う。また、表示用モニタに出力する画面についても、メモリ１０７にあらかじめ登録されたプログラムに従って作成され、表示用画面として、内蔵または外付けの表示用モニタに出力される。
ＭＴＸ１０１は、様々な回線（例えば、１０００回線）から伝送される素材を入力し必要な素材を選択して、エンコーダ１０８により素材を圧縮して、素材サーバー１０４に出力する。素材サーバー１０４は、複数の系統（例えば、７０系統）から入力される入力された素材とそのインデックス情報とを保存する。
【００１２】
情報管理サーバー１０３は、収録スケジュールなどを一元で管理し、現在時刻に収録開始となる素材および素材サーバー１０４に出力する系統、等の情報を収録コントローラ１０２に通知する。なお、収録開始となる時刻とは、実際の素材の収録の前に収録に係る機器（ＭＴＸ１０１の出力段側の機器（例えば、収録サーバー１０４））のスタンバイ開始時刻である。
収録コントローラ１０２は、情報管理サーバー１０３から通知された情報に基づいて、エンコーダ１０８を制御して、素材の収録を実行する。
【００１３】
図２と図３を用いて、従来の収録端末装置が表示モニタに表示させる画面の一実施例を説明する。
図２は、従来の収録端末装置から出力され表示用モニタに表示される収録スケジュール一覧画面２００を示す図である。右上の日時２０１は現在日時を表す。収録スケジュール一覧表２０２には、収録開始時刻が早い順に、上から順に、項番が付され、収録系統（「系統」）、収録する回線名（「回線名」）、収録開始日時（「開始日時」）、収録終了日時（終了日時）、日時２０１の日時での各収録系統が、「収録済」であるか、「収録中」であるか、「待機中」であるか、または「ＮＧ（収録失敗）」であるかを示す収録状態（「状態」）、および備考（「備考」）が、一覧表示される。
上記画面２００では、収録済の素材も表示され、一定時間経過するとその一覧画面から収録済みの素材の表示が消える。また「ＮＧ」となった素材は、何らかの原因で収録スケジュールが登録されなかったものであり、収録スケジュールの変更が必要となる。収録スケジュールの新規登録は、画面下部の新規ボタン２０３をＧＵＩ操作で押下することによって開始される。同様に、収録スケジュールの変更は、画面２００下部の変更ボタン２０４をＧＵＩ操作で押下することによって開始される。また、収録スケジュールの素材の削除は、画面下部の削除ボタン２０５をＧＵＩ操作で押下することによって実行される。
【００１４】
図３は、従来の収録端末装置から出力され表示用モニタに表示される収録スケジュール一覧画面３００の一実施例を示す図である。右上の日時３０１は現在日時を表す。収録スケジュール一覧表３０２には、左側から収録開始時刻が早い順に並べられ（横軸が時刻）、縦軸が収録素材の系統番号と収録開始から収録までの時間帯を示す帯状の図形である。
割当ＮＧスケジュール一覧表３０３には、何らかの原因で収録スケジュールが登録されなかった素材についての情報が、項番を付され、収録回線名（例えば、「ＡＺ」や「ＢＹ」）、収録開始日時（例えば、「6/8（月日、23：30（時刻）」や「6/9（月日、8：50（時刻）」）、収録終了予定日時（例えば、「6/9（月日、0：20（時刻）」や「6/9（月日、9：30（時刻）」）、および備考（「備考」）が、一覧表示される。
【００１５】
収録スケジュール一覧表３０２には、登録された素材の収録スケジュールが、系統順に並び、収録する時間帯によって帯状の図形で表示される。帯の左端は収録開始時刻、右端は収録終了時刻、長さは収録内容時間を示す。帯状の図形中のテキストは、回線名とタイトルである。例えば、帯状表示図形３２１は、回線名が「ＮＰ」、タイトルが「初夏の装い」であり、帯状表示図形３２２は、回線名が「ＳＨ」、タイトルが「中継」であり、帯状表示図形３２３は、回線名が「ＵＳ」、タイトルが「放送局」である。
また収録の状態により、収録済には緑色、収録中には赤色、待機中には青色で、帯の表示色を変える。また、収録スケジュールとして登録されなかった素材および収録中に開始後収録に失敗した素材を、ＮＧとなった素材として、帯状表示図形として表示せず、割当ＮＧスケジュール一覧表３０３に一覧表示する。
例えば、図３の割当ＮＧスケジュール一覧表３０３には、収録開始時刻が早い順に、上から順に、項番が付され、収録する回線名（「回線名」）、元々の収録開始日時（「開始日時」）、元々の収録終了日時（終了日時）、および備考（「備考」）が、一覧表示される。
上記画面３００の割当ＮＧスケジュール一覧表３０３に表示された素材は、再収録が必要である。
従来は、割当ＮＧ素材を再度収録スケジュールに登録する場合には、割当ＮＧスケジュール一覧表３０３の中から所望の素材の行をＧＵＩ操作で選択し、再割当ボタン３０４を押下することで実行される。以下、実行操作は、別画面が表示され、表示される別画面に従ってＧＵＩ操作することによって、スケジュール登録が完了する。
なお、収録スケジュールの新規登録は、画面３３０下部の新規ボタン２０３をＧＵＩ操作で押下することによって開始される。同様に、収録スケジュールの変更は、画面下部の変更ボタン２０４をＧＵＩ操作で押下することによって開始される。また、収録スケジュールの素材の削除は、画面下部の削除ボタン２０５をＧＵＩ操作で押下することによって実行される。
【００１６】
上記の再割当ボタン３０４を押下する操作は、別画面を使って行わなければならない。従って、操作が煩雑で、迅速な処理が難しい。そこで、本発明の一実施形態では、１画面（１ウィンドウ）を使って再割当てする収録端末装置を提供する。図４は、本発明の収録端末装置から出力され表示用モニタに表示される収録スケジュール一覧画面４００の一実施例を示す図である。
即ち、従来は、割当ＮＧスケジュール一覧表３０３から、収録スケジュールに再割当てしたい素材を選択し、画面下部の再割当ボタン３０４を押下して、表示された別ウィンドウ（別画面）から、収録開始時刻や収録系統などを設定し直して、再登録を実行する。しかし、図４（ａ）、（ｂ）におけるＧＵＩ操作における機能では、図４（ａ）で選択した状態のまま、収録スケジュール一覧表３０２部分の再割当てしたい系統にＤ＆Ｄすることによって、素材の収納スケジュールを再登録できる。
【００１７】
図４によって、本発明の収録端末装置の一実施例による割当ＮＧ素材を再度収録スケジュールに登録する場合について説明する。図４（ａ）は、図３の画面３００と全く同じ画面４００１−を示し、説明のため、破線の矢印４３１を表示している図である。図４（ｂ）の画面４００−２は、図４（ａ）の画面４００−１のＧＵＩ操作によってＤ＆Ｄされた矢印４３１の先の場所に表示される破線枠４３２を示す図である。
【００１８】
図５は、本発明の収録端末装置の一実施例における、Ｄ＆Ｄしたときの画面４００−２の表示について、収録スケジュール一覧表４０２の対象部分を拡大して表示したものである。まず、図４（ｂ）で示したように、割当ＮＧスケジュール一覧表３０３から選択した場合に、Ｄ＆Ｄしている間（ドラッグ）中には、持ってきた収録スケジュール一覧表４０２の部分（矢印４３１の先）には、破線枠（四角い箱）４３２が表示される。
この破線枠４３２の左端は、帯状表示図形３２１〜３２３と同様に、収録開始時刻を表しており、任意の時刻に移動可能である。
なお、この破線枠４３２の大きさは、終了時刻や収録内容時間は無関係であり、システム設定時またはシステム変更時に定めた所定のサイズである。
【００１９】
図５において、またこの際、スケジュール登録ＮＧ時に、登録した収録開始日時および収録終了日時から収録内容時間を計算し、ドラッグの際に任意で設定された収録開始時刻から収録終了時刻を割り出し、それがバルーン５０１で表示される。その内容でよければそこにドロップすることで、そのスケジュールは確定される。またドラッグしている最中は収録開始時刻と収録終了時刻がバルーンで表示されるため、操作者は容易にスケジュール内容を把握できる。このため、操作者は、迅速な操作が可能で、その内容でよければ、ドロップすることで、そのスケジュールは変更完了となる。この操作は変更ボタンを押下したときに表示されるウィンドウ（画面）からも変更可能であり、Ｄ＆Ｄした際にさらに細かい設定をしたいときもこのウィンドウを用いる。
図６は、本発明の収録端末装置における、再登録が成功した後の収録スケジュール一覧画面６００である。収録スケジュール一覧表６０１には、再登録された素材が帯状表示され、割当ＮＧスケジュール一覧表６０２では、該当する素材の表示が消える。例えば、帯状表示図形３２４は、回線名が「ＢＹ」であり、タイトルが「中継」である。
【００２０】
図７は、本発明の収録端末装置における、収録スケジュールを変更する処理手順の一実施例を示すフローチャートである。図７の動作は、特に明示しない限り、本発明の収録端末装置が実行する。
ステップ７０１では、操作者のＧＵＩ操作によって、割当ＮＧスケジュール一覧表３０３から、素材が選択されスケジュール一覧表内にドラッグされたことを検知し、選択された素材の行をデコレーション表示する。そして、ＧＵＩ操作中のポインティングデバイスのカーソル位置を画面上に表示する。カーソル位置はドラッグの最中で所定の時間間隔若しくは所定の移動間隔で表示変更される。なお、本書でデコレーション表示とは、画像の枠に、視聴者が他の画像と区別できるように、着色表示する、枠線を太く表示する、枠線をフラッシュング表示する、アイコンを近くに表示する等、目立つ表示とすることを言う。
ステップ７０２では、スケジュール一覧表６０２内に、ドラッグ中の素材が入ってきたことを検知して、図５（ａ）に示すように、破線枠４３２と収録開始時刻と収録終了時刻を示すバルーン５０１を表示する。破線枠４３２およびバルーン５０１内の表示情報は、ドラッグ中のカーソル位置によって変更される。
【００２１】
次にステップ７０３では、操作者のＧＵＩ操作によって、ドラッグされていた収録素材がドロップされたことを検知し、ドロップされた位置で、その収録素材のスケジュールをスケジュール登録前であるが、一旦確定したとし仮登録する。
さらに、ステップ７０４では、仮登録された収録素材が他の収録スケジュールと競合しているか否かを判定する。競合している場合には、ステップＳ７０５に進み、競合していない場合にはステップ７０６に進む。
ステップ７０５では、収録スケジュールが競合していると判定されたため、仮登録された収録素材の再割当てをせず、処理を終了する。
ステップ７０６では、仮登録された収録素材を収録スケジュールに登録し、かつ、割当ＮＧスケジュール一覧表３０３から仮登録された収録素材の表示を消去する（割当ＮＧスケジュール一覧表６０３）。
次に、ステップ７０８では、スケジュール登録された素材が、収録開始時刻が現在時刻になった時に、収録を開始する。なお、収録開始時刻とは、実際の素材の収録の前に収録に係る機器（ＭＴＸ１０１の出力段側の機器（例えば、収録サーバー１０４））のスタンバイ開始時刻である。
【００２２】
次に、図８を用いて、本発明の収録端末装置の再割当てした素材の収録スケジュールを変更する動作について説明する。図８は、本発明の収録端末装置における、再登録が成功した後の収録スケジュール一覧画面の一実施例を示す図である。図８（ａ）は、収録スケジュール一覧画面８００の対象部分を拡大して表示したものである。また図８（ｂ）は、図（ａ）の操作後の収録スケジュール一覧画面の一実施例を示す図である。
図８（ａ）に示すように、操作者は、ＧＵＩ操作によって、スケジュール登録された帯状表示図形の、収録開始時刻または収録終了時刻の枠線を時間方向に伸縮することによって、再割当てされた素材の収録開始時刻若しくは収録終了時刻の少なくともいずれか１つを、変更することができる。図８（ａ）の実施例では、帯状表示図形８２４に示すように、素材の収録終了時刻を延長する。この結果、図８（ｂ）に示すように、素材ごとに、収録スケジュールを変更することができる。
即ち、帯状表示図形の収録開始時刻部分若しくは収録終了時刻部分の端をドラッグし、帯状表示図形の時間方向の長さを伸縮させることで、収録開始時刻、収録終了時刻が容易に変更できる。
なお、収録開始時刻、収録終了時刻の変更は、再割当てされた素材だけでなく、収録スケジュール一覧表に表示された素材すべてで変更可能である。また、変更不可能な場合には、風可能な旨の通知が表示され、かつ、スケジュール変更されない。
【００２３】
図９を用いて、さらに、本発明の収録端末装置を含む収録システムの一実施例を説明する。図９は、本発明の収録端末装置を含む収録システムの一実施例の構成を模式的に説明するためのブロック図である。
図９において、図１と比較して、収録端末装置１０５の替わりに収録端末装置９０５が用いられ、表示用モニタ１０６の替わりに収録端末装置９０５に付属する表示用モニタ９０６が用いられている。その他の機器は、図１と同様である。従って、図１と同一の動作なので説明は省略する。なお、図９に示しているのは、図１〜図８で説明した本発明の動作の補足である。
図９において、まず、収録端末装置９０５から再割当て処理があったときに、収録可能かの問い合わせが情報管理サーバー１０３に出力される。そして、情報管理サーバー１０３が収録可能と判断した場合（９０３）に、スケジュールデータが情報管理サーバー１０３に登録される。その後、現在時刻に該当する素材の収録指示情報が、情報管理サーバー１０３から収録コントローラ１０２に通知され、収録コントローラ１０２がエンコーダ１０８を制御し、ＭＴＸ１０１から入力された素材を収録し、圧縮したのち、素材サーバー１０４に保存される。
また、情報管理サーバー１０３によって、収録不可と判断された場合、再割当ても収録も行われない。
【００２４】
上述の図１〜図９の実施例によれば、収録スケジュールの管理がし易くなり、収録業務におけるミスを減らすことができる。また収録がＮＧになったスケジュールの再登録や、スケジュール変更が容易にかつ迅速にできるため、操作者の負荷の軽減につながる。
【符号の説明】
【００２５】
１０１：マトリクススイッチャー（ＭＴＸ）、  １０２：収録コントローラ、  １０３：情報管理サーバー、  １０４：素材サーバー、  １０５、９０５：収録端末、  １０６、９０６：表示用モニタ、  １０７：メモリ、  １０８：エンコーダ。
【図１】
2011259225.tif 000003
【図２】
2011259225.tif 000004
【図３】
2011259225.tif 000005
【図４】
2011259225.tif 000006
【図５】
2011259225.tif 000007
【図６】
2011259225.tif 000008
【図７】
2011259225.tif 000009
【図８】
2011259225.tif 000010
【図９】
2011259225.tif 000011